(57)【特許請求の範囲】
【請求項１】
地面上を走行するキャスターが扉体下部に取り付けられた仮設ゲートに用いられ、前記地面と前記キャスターとの間に配置されるゲートガイドであって、
略平坦な面が形成され、前記扉体を開閉するときに前記キャスターが前記面上を走行するキャスター走行部と、
前記キャスター走行部の幅方向の両側或いはいずれかの片側に設けられ、前記キャスター走行部よりも上側に突出するキャスター止め部と、を備え、
当該ゲートガイドには、前記キャスターの走行方向に隣り合う当該ゲートガイドを連結するための連結用穴が設けられ、
２つの挿入部とこの挿入部を結ぶ連結部とを有する略コ字形状の連結具を用いて、隣り合う当該ゲートガイドの前記連結用穴に２つの前記挿入部をそれぞれ挿通することで、前記キャスターの走行方向に当該ゲートガイドを連結可能に構成したことを特徴とするゲートガイド。
【請求項２】
前記連結具は、前記キャスター止め部の上側から取り付けられ、
前記キャスター止め部には、上下方向に延びる前記連結用穴と、前記連結用穴から前記キャスターの走行方向の端部まで延びる連結用溝とが形成され、前記連結用溝に前記連結部が上側から埋め込まれることを特徴とする請求項１に記載のゲートガイド。
【請求項３】
前記キャスター止め部は、前記キャスター走行部から幅方向外側へ斜め上側に向けて傾斜する内側傾斜面と、前記内側傾斜面の上端から幅方向外側へ略水平に延びる頂部平面と、前記頂部平面から幅方向外側へ斜め下側に向けて傾斜する外側傾斜面とを備えていることを特徴とする請求項１または請求項２に記載のゲートガイド。
【請求項４】
前記キャスター止め部の全部或いは一部には、前記キャスター走行部の色とは異なる注意喚起色が着色されていることを特徴とする請求項１から請求項３のいずれか１つに記載のゲートガイド。
【発明の詳細な説明】
【技術分野】
【０００１】
本発明は、工事現場の仮設ゲートに使用されるゲートガイドに関する。
【背景技術】
【０００２】
土木工事や建築工事の現場等では、部外者が施工現場に無許可で進入したり、施工中の土砂や施工材料等が外部に飛散するのを防止するために、工事現場の周囲を囲うようにして組立式の仮設フェンスが設置される。また、この仮設フェンスには、人や車両が現場内に出入りするための仮設ゲートが設置されている。
【０００３】
この仮設ゲートは、開閉式の扉であり、その構造は種々のものがある。例えば、特許文献１で開示されている仮設ゲートは、蛇腹折りにして折り畳むことのできる扉体（遮蔽板）で構成されており、この扉体の下側には、３６０度回転自在なキャスターが取り付けられている。このキャスターは、地面上を転動しながら走行することで、扉体が地面に対して略平行にスムーズに移動できるようにしている。この扉体の左右方向の一端は、仮設ゲートが設置される開口（間口）の一端に固定されており、扉体の他端を開口の他端まで移動させて固定することでゲートが閉じられるようになる。
【０００４】
なお、上述した扉体の構造は一例であって、現場によっては蛇腹折りではなく一枚の板状に形成されたものを、引戸のようにして開閉するものや、リンク式（パンタグラフ式）の構造で開閉方向に伸縮して畳めるようにしたものもある（例えば、特許文献２参照）。これらのような構造であっても、扉体の下側には上述したキャスターが取り付けられており、扉体が地面に対して略平行にスムーズに移動できるようになっている。
【０００５】
一方、特許文献３、４で開示されている仮設ゲートは、仮設ゲートの開口寸法に合わせて門型フレームを設け、この門型フレームの上梁から扉体を吊り下げる構造のものである。より詳細には、この上梁には開閉方向に延びるガイドレールが開口の全長に亘って設けられており、このガイドレールに沿って吊り下げられた扉体が自由に移動することでゲートが開閉するようになっている。
【先行技術文献】
【特許文献】
【０００６】
【特許文献１】特開平１０−７２８１５号公報
【特許文献２】特開平８−１６５８７２号公報
【特許文献３】特開２００４−１５０２２７号公報
【特許文献４】特開２０１２−２１９４８４号公報
【発明の概要】
【発明が解決しようとする課題】
【０００７】
上述した特許文献１、２の仮設ゲートは、扉体が開口の両端のみで固定される構造であり、中間部分は固定されていない。そのため、扉体を閉じるときに、地面の凹凸、地面の傾斜などの影響によって扉体の中間部分が歩行帯側に膨らんで（はみ出して）しまうことがある。特に、キャスターは走行性をよくするために３６０度回転自在なものが使用されているので、扉体の中間部分が膨らみ易い。さらには、扉体を閉じた状態であっても、強風等で扉体が煽られると、扉体の中間部分が歩行帯側に膨らんでしまったり、さらには扉体が転倒するおそれもあった。
【０００８】
これらの膨らみ或いは転倒を防止する方法として、扉体の下側に開閉方向に沿って補強用のワイヤーを通しておくものがある。しかしながら、開閉動作によってワイヤーが弛むと、出入りする車両のタイヤに絡まって仮設ゲートを引きずって破損させてしまうことがある。また、ワイヤーが歩行帯側に弛んでしまうと、歩行者がつまずくおそれもある。
【０００９】
一方、特許文献３、４の仮設ゲートでは、上梁のガイドレールに沿って扉体が移動するので、上述した中間部分が膨らんだり転倒する等のおそれは少なくなるが、門型フレームを設ける分だけ構造が複雑になり、高価なものになってしまう。また、門型フレームを用いた構造では、上梁によって高さが制限されるため、出入りする車両や荷物の高さ等が制限されてしまう。
【００１０】
さらには、門型フレームを使用する構造では、門型フレームの寸法に合わせて仮設フェンスの開口寸法を決定しなければならず、現場の状況に合わせて間口を決定したり、寸法調整等をすることができない。これらの点から、現状では、特許文献１、２のような構造の仮設ゲートが一般的に多く用いられている。
【００１１】
本発明は、上述した事情を鑑みてなされたものであり、その目的は、扉体がキャスターで移動する構造の仮設ゲートに用いられ、扉体が歩行帯側にはみ出したり転倒したりするのを防止することができるゲートガイドを提供することにある。
【課題を解決するための手段】
【００１２】
上述課題を解決するため、本発明は、地面上を走行するキャスターが扉体下部に取り付けられた仮設ゲートに用いられ、前記地面と前記キャスターとの間に配置されるゲートガイドであって、略平坦な面が形成され、前記扉体を開閉するときに前記キャスターが前記面上を走行するキャスター走行部と、前記キャスター走行部の幅方向の両側或いはいずれかの片側に設けられ、前記キャスター走行部よりも上側に突出するキャスター止め部と、を備え、当該ゲートガイドには、前記キャスターの走行方向に隣り合う当該ゲートガイドを連結するための連結用穴が設けられ、２つの挿入部とこの挿入部を結ぶ連結部とを有する略コ字形状の連結具を用いて、隣り合う当該ゲートガイドの前記連結用穴に２つの前記挿入部をそれぞれ挿通することで、前記キャスターの走行方向に当該ゲートガイドを連結可能に構成したことを特徴とする。
【００１４】
さらに、前記連結具は、前記キャスター止め部の上側から取り付けられ、前記キャスター止め部には、上下方向に延びる前記連結用穴と、前記連結用穴から前記キャスターの走行方向の端部まで延びる連結用溝とが形成され、前記連結用溝に前記連結部が上側から埋め込まれるようにしてもよい。
【００１５】
また、前記キャスター止め部は、前記キャスター走行部から幅方向外側へ斜め上側に向けて傾斜する内側傾斜面と、前記内側傾斜面の上端から幅方向外側へ略水平に延びる頂部平面と、前記頂部平面から幅方向外側へ斜め下側に向けて傾斜する外側傾斜面とを備えていてもよい。
【００１６】
さらにまた、前記キャスター止め部の全部或いは一部には、前記キャスター走行部の色とは異なる注意喚起色が着色されていてもよい。
【発明の効果】
【００１７】
本発明に係るゲートガイドでは、略平坦な面が形成され、扉体を開閉するときにキャスターが前記面上を走行するキャスター走行部と、キャスター走行部の幅方向の両側に設けられ、キャスター走行部よりも上側に突出するキャスター止め部とを備えているので、地面の凹凸等の影響を受けることなく、キャスター走行部上をキャスターがスムーズに走行できるようになる。また、扉体が風によって煽られたりしたとしても、キャスターがキャスター止め部によって止められるので、キャスター止め部よりも外側（歩行帯側）に膨らまないようになる。
【図面の簡単な説明】
【００１８】
【図１】本発明に係るゲートガイドを利用した仮設ゲートの正面図である。
【図２】図１のＡ方向から見た平面図であって、（Ａ）は仮設ゲートを閉じた状態、（Ｂ）は仮設ゲートを開いた状態である。
【図３】ゲートガイドを単体で示す平面図である。
【図４】図３のゲートガイドを下側から見た図である。
【図５】図３のゲートガイドを右側から見た図である。
【図６】隣り合うゲートガイドを連結具を用いて連結する状態を示す断面図である。
【図７】地面に敷設されたゲートガイドの上をキャスターが走行する状態を示す概要図である。
【発明を実施するための最良の形態】
【００１９】
以下、本発明の実施の形態に係るゲートガイド１０について、図面を用いて詳細に説明する。図１は、本発明に係るゲートガイド１０を設置した仮設ゲート１の正面図である。また、図２は、図１のＡ方向から見た平面図であって、（Ａ）は扉体を閉じた状態、（Ｂ）は扉体を開いた状態を示している。
【００２０】
なお、本実施の形態で使用する上下方向とは、図１の紙面の上下方向をいう。また、左右方向（開閉方向、走行方向）とは、図１の紙面の左右方向をいう。さらに、幅方向とは、図１の紙面の奥行き方向をいうものとする。
【００２１】
仮設ゲート１（キャスターゲートともいう）は、図１に示すように、仮設フェンス２に設けられた開口部（仮設フェンス２が設けられていない部分。開口寸法を符号Ｌで示す）に組み立てられる。より詳細には、左右の仮設フェンス２、２の端部には、地面Ｇに対して略垂直に延びる支柱３、３がそれぞれ立設され、仮設ゲート１の左右の両端部がこの支柱３，３にそれぞれ固定されている。本実施の形態では、図２（Ａ）および図２（Ｂ）に示すように、仮設ゲート１の左端部が支柱３に強固に取り付けられ、右端部が支柱に対して着脱可能に取り付けられている。
【００２２】
仮設ゲート１は、図１に示すように、左右方向に間隔を空けて設けられた複数本の縦フレーム４と、縦フレーム４の下側に取り付けられたキャスター５と、隣り合う縦フレーム４の間を覆う防塵シート６（扉体）とで構成されている。また、隣り合う縦フレーム４は、補強梁４ａによってそれぞれ連結されている。
【００２３】
この仮設ゲート１は、図２（Ａ）に示すように、閉じた状態では、隣り合う縦フレーム４同士が離間することで、防塵シート６が平面状に張られ、仮設フェンス２の開口部が閉じられるようになる。一方、図２（Ｂ）に示すように、開いた状態では、縦フレーム４が左側の支柱３の位置付近までキャスター５によってそれぞれ移動し、防塵シート６が蛇腹折りに折り畳まれるようになる。
【００２４】
キャスター５は、縦フレーム４を軸線として、３６０度回転自在なものが使用されている。これは、キャスター５の走行方向が左右方向（開方向および閉方向）の２方向であるため、仮設ゲート１の開動作から閉動作または閉動作から開動作に移る際にキャスター５の向きを１８０度回転させなければならないためである。また、扉体６が閉じた状態のときに風によって煽られると、キャスター５が回転して幅方向に向けて走行できるようにも回転してしまうため、扉体６が幅方向へ膨らみ易い構造であるとも言える。
【００２５】
なお、従来技術にも記載した通り、仮設ゲートは種々の構造があり、上述した仮設ゲート１の構造はその一実施例に過ぎない。また、扉体の蛇腹折りの構造や伸縮構造等は既知の技術であるため、本実施形態ではその詳細な説明を省略する。
【００２６】
図３は、ゲートガイド１０を単体で示す平面図、図４は、図３のゲートガイド１０を下側から見た図、図５は、図３のゲートガイド１０を右側から見た図である。また、図６は、隣り合うゲートガイド１０、１０同士を連結具２０を用いて連結する状態を示す断面図である。さらに、図７は、地面Ｇに敷設されたゲートガイド１０の上をキャスター５が走行する状態を示す概要図である。
【００２７】
ゲートガイド１０は、図７に示すように、地面Ｇ上に敷設され、地面Ｇとキャスター５との間に配置されている。なお、地面Ｇ上に直接敷設せずに、地面Ｇとゲートガイド１０との間に介在物（例えば、板状物）を設ける態様であってもかまわない。
【００２８】
また、このゲートガイド１０は、左右方向に所定の単位長さで形成されている。ゲートガイド１０は、図１、図２（Ａ）、図２（Ｂ）に示すように、仮設ゲート１の開口寸法Ｌにあわせて必要な数量を左右方向に連結し、開口寸法Ｌの全長に亘って連続するようにして使用される。
【００２９】
ゲートガイド１０は、図３に示すように、平面視で略長方形に形成されている。ゲートガイド１０は、図３の紙面左右方向が図１の紙面左右方向（開閉方向）に向けて敷設される。このゲートガイド１０は、幅方向（図３の紙面上下方向）中央部にキャスター走行部１１が形成されており、このキャスター走行部１１の幅方向の両端部にキャスター止め部１２、１２がそれぞれ形成されている。このキャスター走行部１１およびキャスター止め部１２は、左右方向の全長に亘って連続して形成されている。また、キャスター走行部１１およびキャスター止め部１２は、樹脂材料或いはゴム材料によって一体成形されている。
【００３０】
キャスター走行部１１は、ほぼ平坦な面であり、この面上をキャスター５が走行する。また、キャスター走行部１１には、雨水等を排水するための水抜き穴１５が、上下方向に貫通する態様で設けられている。また、この水抜き穴１５は、アンカーボルト３０（図７参照）を挿通させることによって、ゲートガイド１０を地面Ｇに固定するためのアンカーボルト挿通穴としても使用することができる。なお、設置する地面Ｇの状況などによって、アンカーボルト３０を使用するか否かは自由に選択される。
【００３１】
キャスター走行部１１の上下方向の厚みは、地面Ｇの凹凸（図７参照）によって上述した平坦な面が歪む等の影響を受けない寸法に形成されている。この寸法は、凹凸のある地面Ｇに載置して実験した結果から、樹脂材料であれば約２０ｍｍ以上にすれば問題ないことが分かった。
【００３２】
キャスター止め部１２は、キャスター走行部１１よりも上側に突出するように形成されている。このキャスター止め部１２は、キャスター走行部１１から幅方向外側へ斜め上側に向けて傾斜する内側傾斜面１２ｂと、この内側傾斜面１２ｂの上端から幅方向外側へ略水平に延びる頂部平面１２ａと、この頂部平面１２ａから幅方向外側へ斜め下側に向けて傾斜する外側傾斜面１２ｃとを有している。
【００３３】
キャスター走行部１１から頂部平面１２ａまでの高さ寸法は、キャスター５がこの頂部平面１２ａの上を容易に乗り越えられない程度にしている。この寸法は、実験の結果、約３０ｍｍ以上であることが好ましい。
【００３４】
外側傾斜面１２ｃは、仮設ゲート１を通過する車両が容易にゲートガイド１０を乗り越えられ、かつ、乗り越えるときに運転者に大きな衝撃を与えないようにするために設けられている。また、内側傾斜面１２ｂは、キャスター走行部１１を移動するキャスター５の車輪が接触したときに、車輪を痛めないようにすると共に、外側傾斜面１２ｃと同様に、通過する車両が容易に乗り越えられるように設けられている。
【００３５】
キャスター止め部１２は、仮設ゲート１を通過する車両の運転者が目視で確認できるように、注意喚起を促す色に着色されている。例えば、黄色或いは黄色と黒の縞模様など、工事現場等でよく使用されている注意喚起の色である。一方、キャスター走行部１１の色は、キャスター止め部１２の色とは異ならせ、例えば、目立たない黒色等にしてある。
【００３６】
なお、キャスター止め部１２の着色部分は、キャスター止め部１２の全表面でなくてもよく、例えば、運転者から見える外側傾斜面１２ｃのみ、或いは外側傾斜面１２ｃと頂部平面１２ａのみであってもよい。また、左右方向の全長に亘って着色されていなくても、注意喚起ができる程度に、左右方向に間隔を空けた部分毎に施されていてもよい。
【００３７】
一方、頂部平面１２ａの左右方向の両端部には、図３および図６に示すように、連結用穴１３および連結用溝１４がそれぞれ形成されている。この連結用穴１３は、頂部平面１２ａから下側に貫通している。また、連結用溝１４は、連結用穴１３の上側部分から左右方向の端部まで延びている。
【００３８】
これらの連結用穴１３および連結用溝１４は、隣り合って配置されるゲートガイド１０、１０を左右方向に連結するためのものである。より詳細には、図６に示すように、連結具２０がキャスター止め部１２の上側から取り付けられて、互いに連結されるようになる。
【００３９】
連結具２０は、下側が開口する略コ字形状に形成されており、上下方向に延びる２つの挿入部２１と、この挿入部２１の上側を水平に結ぶ連結部２２とを備えている。この２つ挿入部２１は、隣り合うゲートガイド１０の連結用穴１３にそれぞれ挿通される。また、連結部２２は、それぞれの連結用溝１４内に埋め込まれ、この連結部２２が頂部平面１２ａよりも上側に突出しないようになっている。
【００４０】
次に、ゲートガイド１０の作用について、図７を用いて説明する。
凹凸のある地面Ｇ上に敷設されたゲートガイド１０は、縦フレーム４等の重量を受けるようになる。キャスター走行部１１の厚み（強度）は、この重量を受けても平坦な面が変形してキャスター５のスムーズな走行を妨げないように決定されている。
【００４１】
このゲートガイド１０は、既設の仮設ゲート１にも後から簡単に設置することができる。また、ゲ−トガイド１０を設置するために、既設の仮設ゲート１を改造する必要もない。そのため、門型フレームを用いた従来技術と比較して、安価な値段で構成することができる。
【００４２】
また、ゲートガイド１０は、左右方向に連結して設置することで、現地の開口寸法Ｌ（図１および図２参照）に合わせた左右方向の長さを自由に調整することができる。
【００４３】
ゲートガイド１０が設けられた状態では、図７に示すように、キャスター５は扉体６の開閉方向に沿って略直線的に走行できるようになり、幅方向に大きく膨らむようなことがなくなる。また、仮に膨らんだとしても、キャスター５がキャスター止め部１２に当接することで、このキャスター止め部１２を超えて膨らむことはなくなる。
【００４４】
また、強風によって扉体６が煽られたとしても、キャスター５がキャスター止め部１２に当接することで、このキャスター止め部１２を超えて膨らむことはなくなる。特に、強風で煽られたときには、従来、扉体６が上面視で弓状に撓んだ後に、その中央部に大きな力（回転モーメント）が集中して発生し仮設ゲート１が転倒するおそれがあったが、ゲートガイド１０を用いることによって弓状に撓むことがなくなる。すなわち、扉体６の全体に力が分散されて特定の箇所に大きな力が集中して作用することがなくなるので、ゲートガイド１が転倒する危険性を少なくすることができる。
【００４５】
本発明の実施の形態に係るゲートガイドによれば、扉体６を開閉するときにキャスター５が面上を走行するキャスター走行部１１と、キャスター走行部１１の幅方向の両側に設けられ、キャスター走行部１１よりも上側に突出するキャスター止め部１２とを備えているので、キャスター５がキャスター止め部１２を超えて移動できなくなる。そのため、扉体６が幅方向に大きく膨らんで、歩行者帯側にはみ出してしまうことを防止することができる。
【００４６】
また、キャスター止め部１２の上側から取り付けられる連結具２０を有し、キャスター５の走行方向にゲートガイド１０、１０を連結可能にしているので、現地の開口寸法Ｌに合わせて左右方向の長さを自由に調整することで、設置作業を容易に行うことができる。そのため、門型フレームを使用する仮設ゲートと比較して、より安価である。また、連結具を設けることにより、隣り合うゲートガイド１０，１０のキャスター走行部１１、１１が幅方向でずれないように連結することができる。また、連結されるキャスター走行部１１、１１の上下方向に大きな段差ができるのを防止することができる。
【００４７】
さらに、キャスター止め部１２には、上下方向に貫通する連結用穴１３と、連結用穴１３からキャスター５の走行方向の外側端部まで延びる連結用溝１４とが形成され、連結具２０は、互いに隣り合う連結用穴１３、１３のそれぞれに上側から挿入される挿入部２１、２１と、挿入部２１を連結し、連結用溝１４に上側から埋め込まれる連結部２２とを備えているので、隣り合って配置されるゲートガイド１０、１０に連結具２０を上側から挿入する作業のみで簡単に連結することができる。また、連結具２０がキャスター止め部１２の外表面から突出しないようにして取り付けることができる。
【００４８】
また、キャスター止め部１２は、キャスター走行部１１から幅方向外側へ斜め上側に向けて傾斜する内側傾斜面１２ｂを設けているので、キャスター５が当たったときにキャスターを痛めることがない。また、内側傾斜面１２ｂの上端から幅方向外側へ略水平に延びる頂部平面１２ａを備えているので、この頂部平面１２ａに連結用穴１３および連結用溝１４を形成することで、連結作業を容易に行うことができる。さらに、頂部平面１２ａから幅方向外側へ斜め下側に向けて傾斜する外側傾斜面１２ｃを備えているので、仮設ゲート１を通過する車両がこのゲートガイド１０の上を乗り越え易くなるとともに、乗り越えるときに運転者に大きな振動や衝撃を与えないようにすることができる。
【００４９】
さらに、キャスター止め部１２の全部或いは一部には、キャスター走行部１１の色とは異なる注意喚起色が着色されているので、ゲートガイド１０の段差があることを車両の運転手が事前に目視で確認できるようになる。また、歩行している作業者等にも段差があることを事前に知らせることができる。
【００５０】
以上、本発明の実施の形態に係るゲートガイド１０について述べたが、本発明は既述の実施形態に限定されるものではなく、本発明の技術思想に基づいて各種の変形および変更が可能である。
例えば、本実施の形態では、キャスター止め部１２をキャスター走行部１１の幅方向の両側に設けているが、いずれかの片側にだけ設けるようにしてもよい。例えば、歩行帯側にのみキャスター止め部１２を設けて、歩行帯側にだけ扉体６がはみ出さないように工夫することもできる。
【符号の説明】
【００５１】
１  仮設ゲート
２  仮設フェンス
３  支柱
４  縦フレーム
４ａ  補強梁
５  キャスター
６  防塵シート（扉体）
１０  ゲートガイド
１１  キャスター走行部
１２  キャスター止め部
１２ａ  頂部平面
１２ｂ  内側傾斜面
１２ｃ  外側傾斜面
１３  連結用穴
１４  連結用溝
１５  水抜き穴
２０  連結具
２１  挿入部
２２  連結部
３０  アンカーボルト
【図１】
0006337034.tif 000002
【図２】
0006337034.tif 000003
【図３】
0006337034.tif 000004
【図４】
0006337034.tif 000005
【図５】
0006337034.tif 000006
【図６】
0006337034.tif 000007
【図７】
0006337034.tif 000008